(57)【要約】【課題】電動機などの駆動部を保護しつつ床面に接触することのない保護部材を備えた洗濯機及びその包装装置を得る。【解決手段】水槽の底面４に平行な面６と、該平行な面６に連接された傾斜面７とを備えた保護部材５を設けた。【選択図】図１
2010029505.tif 000002
【特許請求の範囲】
【請求項１】
箱体と、
前記箱体内に吊り下げ収容されて所定の角度で傾斜可能な水槽と、
前記水槽を吊り下げる吊り下げ手段と、
前記水槽の底面にフランジを介して連結された駆動部と、
前記駆動部を囲うようにして前記水槽の底部に設けられた保護部材とを有し、
前記保護部材は、前記水槽の底面に平行な面と、該平行な面の前方に連なる傾斜面とを備えた
ことを特徴とする洗濯機。
【請求項２】
前記保護部材を、
前記水槽の前後方向の重心を通る鉛直線と交わる位置に設けた
ことを特徴とする請求項１記載の洗濯機。
【請求項３】
前記保護部材において、
前記重心を通る鉛直線と交わる点の後方に、前記平行な面に連なる追加部材を設けた
ことを特徴とする請求項１または請求項２記載の洗濯機。
【請求項４】
前記追加部材は、舌片形状を有し、前記洗濯機を包装する際に用いる底部緩衝体と当接して前記水槽を支持する
ことを特徴とする請求項３記載の洗濯機。
【請求項５】
前記保護部材の平行な面と傾斜面とにより形成される角度は４５度以下である
ことを特徴とする請求項１〜請求項４のいずれかに記載の洗濯機。
【請求項６】
前記保護部材の傾斜面の前後方向の長さが１０ｍｍ以上である
ことを特徴とする請求項１〜請求項５のいずれかに記載の洗濯機。
【請求項７】
前記保護部材の平行な面に支持穴を形成し、
前記洗濯機を包装する際に用いる底部緩衝体が有する支持部材を前記支持穴に嵌合させる
ことを特徴とする請求項１〜請求項６のいずれかに記載の洗濯機。
【請求項８】
前記請求項１〜７のいずれかに記載の洗濯機を載置する底ケースと、
前記底ケースに収納され、前記保護部材を嵌合させる底部緩衝体とを有する
ことを特徴とする包装装置。
【請求項９】
前記請求項７記載の洗濯機を載置する底ケースと、
前記底ケースに収納され、前記保護部材を嵌合させる底部緩衝体とを有し、
前記底部緩衝体は上方に突出する支持部材を備え、
前記支持部材を前記支持穴に嵌合させて前記洗濯機を固定する
ことを特徴とする包装装置。
【発明の詳細な説明】
【技術分野】
【０００１】
本発明は、洗濯機及びその包装装置に関する。
【背景技術】
【０００２】
従来より、水槽を本体上部から吊り下げ手段を介して吊り下げて揺動可能に支持した洗濯機において、輸送時における揺れを抑制する部材を備えた洗濯機が提案されている。このようなものとして、「外箱の内部に揺動可能に支持して配設された水槽の内部に被回転体を具備し、水槽の外部中央部の下方に前記被回転体を回転駆動する電動機を具備するものにおいて、輸送時の前記水槽の揺れを防止するための囲い部材を、前記電動機の下面以上の大きさで、該電動機の下面を下方より覆い、前記水槽に固定して設けた」ものが提案されている（たとえば、特許文献１参照）
【０００３】
【特許文献１】特開平１１−２０７０８６号公報（第２頁、図１）
【発明の開示】
【発明が解決しようとする課題】
【０００４】
従来の構成においては、電動機の下面を覆う囲い部材を設けることで、ユーザやサービスマン等が洗濯機の外箱の下方より手などを入れたときに電動機に接触するのを避けることができる。
しかしながら、前記囲い部材を水槽を傾斜させた洗濯機に適用した場合、水槽が傾斜することにより該囲い部材は床面に近接または接触してしまう。このような状態で洗濯や乾燥運転を行うと、振動や騒音が発生してしまうという課題があった。
【０００５】
本発明は、上記のような課題を解決するためになされたもので、電動機などの駆動部を保護しつつ床面に接触することのない保護部材を備えた洗濯機及び、前記洗濯機を運搬するための包装装置を提供するものである。
【課題を解決するための手段】
【０００６】
本発明に係る洗濯機は、
箱体と、
前記箱体内に吊り下げ収容されて所定の角度で傾斜可能な水槽と、
前記水槽を吊り下げる吊り下げ手段と、
前記水槽の底面にフランジを介して連結された駆動部と、
前記駆動部を囲うようにして前記水槽の底部に設けられた保護部材とを有し、
前記保護部材は、前記水槽の底面に平行な面と、該平行な面の前方に連なる傾斜面とを備えたことを特徴とするものである。
【発明の効果】
【０００７】
本発明に係る洗濯機は、水槽の底面に平行な面と、該平行な面に連接された傾斜面とを備えた保護部材を設けたので、保護部材が床面に接触するのを防ぐことができる。このため、保護部材が床面に接触することによる振動及び騒音を防ぐことができる。
【発明を実施するための最良の形態】
【０００８】
実施の形態１．
図１は、本発明の実施の形態１に係る洗濯機１００を側面から見た概略構成を示す透視図である。本発明は、洗濯機１００の底部に設けられた保護部材５に特徴を有するものであるので、これに関連する部分の構造及び機能を中心に説明する。
【０００９】
図１において、洗濯機１００は、箱体８内に水槽１を吊り下げ部３で吊り下げて防振支持され、水槽１が前後に傾斜配置された構成となっている。水槽１は、図示しない洗濯兼脱水槽（以下、内槽と称す）の外側に位置し、脱水時の水を受ける。水槽１の底面外側には、駆動部２が図示しないフランジにより連結されている。駆動部２は、ＤＣモータ、ギア、クラッチ等により構成されている。駆動部２の出力軸は、前記内槽及びこの内槽の底部に設けられた図示しない攪拌翼の回転軸と連結されている。すなわち、駆動部２が駆動することにより、駆動部２の出力軸によって動力が内槽及び攪拌翼に伝達され、内槽及び攪拌翼が回転することとなる。水槽１の底面４の外側には、駆動部２を囲うようにして保護部材５が固定支持されている。
【００１０】
図２は、保護部材５の構成を示す外観模式図である。図２（Ａ）は外観斜視図を示し、図２（Ｂ）は側面から見た図を示す。図２において、保護部材５は、平行面６と、これに連なる傾斜面７とを有する。平行面６は、保護部材５を水槽１の底面４に組み付けたときに、この底面４と平行になるように構成されている。また、平行面６と傾斜面７とは角度θをなすように形成されている。なお、この角度θは４５度以下であることが望ましい。角度θを４５度以下とすることにより、底面４に組み付けたときの保護部材５の高さ寸法を小さくすることができる。したがって、洗濯機１００の高さ方向の寸法を小型化することができ、同時に、後述の包装装置２００による包装もコンパクトに行うことができる。
【００１１】
また、傾斜面７の前後方向における長さｘは、１０ｍｍ以上であることが望ましい。このようにすることで、底面４に組み付けたときの保護部材５の高さ寸法を小さくすることができる。したがって、洗濯機１００の高さ方向の寸法を小型化することができる。同時に、後述の包装装置２００による包装も、コンパクトに行うことができる。
【００１２】
さらに、平行面６と傾斜面７の外周端は上方に折り曲げられた折り曲げ部１３が形成されている。また、平行面６の両側部には、上方に起立するようにして設けられ、先端部を内側に折り曲げた接続部１１が設けられている。接続部１１には、ボルト２０によって水槽１の底面４に固定するための接続穴１２が設けられている。
【００１３】
このように構成された保護部材５は、駆動部２を囲うようにして、ボルト２０によって水槽１の底面４の外側に固定支持される。このとき、水槽１の前後方向における重心を通る鉛直線と、保護部材５のいずれかの箇所とが交わる位置に保護部材５を組み付ける。なお、ここで水槽１の前後方向における重心とは、水槽１に組み付けられた図示しない内槽、攪拌翼、フランジ、及び駆動部２を含むすべての部品及び水槽１全体の前後方向における重心をいうものとする。また、保護部材５の平行面６は、水槽１の底面４と平行になるように組み付けられる。
【００１４】
次に、洗濯機１００の動作について説明する。
ユーザが洗濯物を内槽に入れて図示しない操作手段により洗濯開始を指示すると、洗濯機１００は運転を開始する。洗濯を開始すると、内槽に入っている水や洗濯物の量に応じて、水槽１は箱体８の中で上下前後左右に揺動する。さらに、洗濯物の片寄り等によるアンバランスによって、水槽１は上下前後左右に揺動する。
【００１５】
このとき、水槽１の揺動に伴って駆動部２が床面や箱体８に近づくことになるが、駆動部２は保護部材５によって囲われているので、床面や箱体８に衝突することがない。したがって、床面や箱体８への衝突による駆動部２の破損を防ぐことができる。
また、保護部材５の傾斜面７は傾斜していて床面からの距離をある程度保っているので、水槽１に上下方向の揺動が発生した場合でも保護部材５が床面に衝突することがない。
【００１６】
次に、洗濯機１００の包装状態について説明する。
図３は、洗濯機１００を包装装置２００で包装した場合における、側面から見た概略構成を示す側面透視図である。
【００１７】
包装装置２００は、外装ケース３０、底ケース３１、及び底部緩衝体３２を備えている。外装ケース３０はその下面を開口する略直方体形状を有し、底ケース３１はその上面を開口する略直方体形状を有している。底ケース３１に外装ケース３０をかぶせることで、略直方体形状の箱が形成される。洗濯機１００は、底部緩衝体３２を挟んで底ケース３１に載置されるようになっている。底部緩衝体３２は、洗濯機１００の脚部が嵌合するようにその形状を構成している。そのため、洗濯機１００が底ケース３１の定位置に固定され、輸送時においても洗濯機１００に位置ずれが生じることはない。
【００１８】
また底部緩衝体３２は、保護部材５を嵌合させるための嵌合部を備えている。そのため、保護部材５は底部緩衝体３２に嵌合して係止され、輸送時においても水槽１の揺れを防止することができる。また、水槽１の前後方向における重心を通る鉛直線と保護部材５のいずれかの箇所とが交わるようにして保護部材５を設けたので、輸送時の揺れによるモーメント力の発生を抑制することができ、水槽１の揺れをさらに軽減することができる。加えて、保護部材５の平行面６と傾斜面７に折り曲げ部１３を設けたので、保護部材５と底部緩衝体３２とが当接する面が増加し、水槽１の揺れをさらに抑制することができる。したがって、輸送時の揺れによる水槽１や外箱８の損傷や塗装落ちなどを防ぐことができる。
【００１９】
包装装置２００を開梱する場合には、まず、外装ケース３０を取り外す。そして、底部緩衝体３２に嵌合されている洗濯機１００の脚部及び保護部材５の嵌合を解除し、底部緩衝体３２及び底ケース３１から洗濯機１００を取り出す。
【００２０】
このように本実施の形態１によれば、駆動部２を囲う保護部材５を設けることにより、洗濯運転時においても駆動部２が床面や箱体８に衝突するのを防ぐことができる。このため、駆動部２が床面や箱体８に衝突することによる駆動部２の破損を防ぐことができる。したがって、駆動部２の長寿命化にも資することができる。
【００２１】
また、保護部材５に傾斜した傾斜面７を設けたので、保護部材５と床面との距離をある程度確保することができる。このため、水槽１が上下方向に揺動した場合でも、保護部材５が床面に衝突することがない。したがって、保護部材５が床面に衝突することによる騒音発生を防ぐことができる。
【００２２】
また、水槽１の前後方向における重心を通る鉛直線と保護部材５のいずれかの箇所とが交わるようにして保護部材５を設けたので、輸送時の包装状態において落下や振動を受けた場合でも、水槽１が揺れるのを防ぐことができる。このため、揺れによる水槽１や外箱８の損傷や塗装落ちなどを防ぐことができる。
【００２３】
また、洗濯機１００の脚部及び保護部材５を嵌合可能な形状を有する底部緩衝体３２を設けたので、輸送時においても洗濯機１００の位置ずれを防ぐことができる。さらには、保護部材５が底部緩衝体３２に嵌合されることにより、水槽１が輸送時の揺れによって箱体８に衝突するのを防ぐことができる。このため、輸送時における水槽１及び箱体８の破損や、箱体８の塗装が剥がれるのを防ぐことができる。このように、安全に輸送を行うことのできる洗濯機１００及び包装装置２００を得ることができる。
【００２４】
実施の形態２．
図４は、本発明の実施の形態２に係る保護部材５ａの外観模式図、図５は保護部材５ａを備えた洗濯機１００ａを包装装置２００で包装した際の側面透視図である。図４は、保護部材５を底面方向から見た図を示している。図５において、包装装置２００は、前述の実施の形態１で述べた包装装置２００と同じものである。また、図４及び図５において前述の実施の形態１と同様の構成要素には、同じ符号を付している。
【００２５】
図４において、保護部材５ａは、水槽１の前後方向の重心を通る鉛直線と重なる位置（以下、重心位置１０と称す）の後方、すなわち傾斜面７の反対側に、追加部材として後部伸ばし部材１４が設けられている。後部伸ばし部材１４は、平行面６の略中央部から延出するように設けられた舌片形状を有する。また、後部伸ばし部材１４の左右両側の端部は、上方に折り曲げられた折り曲げ片１５が形成されている。
【００２６】
図５において、保護部材５ａを取り付けた洗濯機１００ａを包装装置２００に包装した際の作用について説明する。保護部材５ａは、底部緩衝体３２に嵌合して係止される。保護部材５ａに設けられた後部伸ばし部材１４は、その面１４ａが底部緩衝体３２と当接することにより、底部緩衝体３２との支持箇所を増加させることができる。したがって、より強固に底部緩衝体３２に支持され、水槽１の揺れを抑止することができる。このため、水槽１の揺れによる箱体８の損傷や水槽１の損傷を防ぐことができる。
【００２７】
さらに、後部伸ばし部材１４には折り曲げ片１５を設けたので、後部伸ばし部材１４が底部緩衝体３２に極度に食い込むのを防止することができる。したがって、輸送時の衝撃等により揺れが生じた場合であっても、後部伸ばし部材１４が底部緩衝体３２に極度に食い込むことはなく、水槽１の揺れを一層防止することができる。
【００２８】
このように本実施の形態２によれば、保護部材５ａに後部伸ばし部材１４を設けたので、包装時における底部緩衝体３２との支持箇所を増加させることができる。したがって、水槽１の揺れを抑止することができる。また、後部伸ばし部材１４に折り曲げ片１５を設けたので、後部伸ばし部材１４が底部緩衝体３２に極度に食い込むのを防ぐことができ、水槽１の揺れをさらに抑止することができる。このように、水槽１の揺れを抑止することができるので、輸送時に衝撃が発生したとしても水槽１や箱体８などの損傷や塗装落ちなどを防ぐことができ、安全に輸送することのできる洗濯機１００ａを得ることができる。
【００２９】
実施の形態３．
図６は、本発明の実施の形態３に係る保護部材５ｂの外観模式図、図７は保護部材５ｂを備えた洗濯機１００ｂを包装装置２００ｂで包装した際の側面透視図である。図７において、包装装置２００ｂは、底部緩衝体３２ｂの構成が前述の実施の形態１で示した包装装置２００と異なっており、その他の部分については同じものである。
【００３０】
図６において、保護部材５ｂは、平行面６の略中央付近の位置に、支持穴１６を形成している。また、図７において、底部緩衝体３２ｂには、その上部に突き出すようにして支持部材３３が設けられている。支持穴１６の形状と、支持部材３３の外周形状とは、適度なゆとりを有しつつも略一致するように形成されている。
【００３１】
図７において、保護部材５ｂを取り付けた洗濯機１００ｂを包装装置２００ｂに包装した際の作用について説明する。保護部材５ｂは、底部緩衝体３２ｂに嵌合して係止される。同時に、保護部材５ｂに設けられた支持穴１６には、底部緩衝体３２ｂの支持部材３３が嵌合される。すなわち、保護部材５ｂは、それ自身全体が底部緩衝体３２ｂに当接して支持されると同時に、支持穴１６に指示部材３３を嵌合させて底部緩衝体３２ｂに支持されることとなる。
【００３２】
このように本実施の形態３によれば、保護部材５ｂに支持穴１６を設けると同時に底部緩衝体３２ｂに支持部材３３を設けたので、支持部材３３を支持穴１６に嵌合させることができる。したがって、支持部材３３と支持穴１６とにより、保護部材５ｂをさらに強固に底部緩衝体３２ｂに固定することができ、水槽１の揺れを抑止することができる。このため、輸送時に衝撃が発生したとしても、水槽１や箱体８の損傷を防ぐことができ、安全に輸送することのできる洗濯機１００ｂ及び包装装置２００ｂを得ることができる。
【００３３】
なお、支持部材３３は、ポリプロピレンやポリスチレン等の樹脂、または木材や金属等を使用して構成することができる。このようにすることで、輸送時の衝撃によって支持部材３３に大きな力が加えられた場合でも、支持部材３３の変形を極力抑えることができる。したがって、水槽１の揺動をより確実に抑止することができる。
【００３４】
なお、上記実施の形態１〜３は、それぞれ組み合わせて構成することができる。組み合わせることにより、水槽１の揺れをさらに抑止することができ、前述の実施の形態１〜３で述べた効果をさらに向上させることができる。
【図面の簡単な説明】
【００３５】
【図１】本発明の実施の形態１に係る洗濯機１００の側面透視図である。
【図２】本発明の実施の形態１に係る保護部材５の外観斜視図である。
【図３】本発明の実施の形態１に係る洗濯機１００を包装装置２００で包装した場合における、側面透視図である。
【図４】本発明の実施の形態２に係る保護部材５ａの外観模式図である。
【図５】本発明の実施の形態２に係る保護部材５ａを備えた洗濯機１００ａを包装装置２００で包装した際の側面透視図である。
【図６】本発明の実施の形態３に係る保護部材５ｂの外観模式図である。
【図７】本発明の実施の形態３に係る保護部材５ｂを備えた洗濯機１００ｂを包装装置２００ｂで包装した際の側面透視図である。
【符号の説明】
【００３６】
１  水槽、２  駆動部、３  吊り下げ部、４  底面、５  保護部材、６  平行面、７  傾斜面、８  外箱、１０  重心位置、１１  接続部、１２  接続穴、１３  折り曲げ部、１４  後部伸ばし部材、１４ａ  面、１５  折り曲げ片、１６  支持穴、２０  ボルト、３０  外装ケース、３１  底ケース、３２  底部緩衝体、３３  支持部材、１００  洗濯機、２００  包装装置。
【図１】
2010029505.tif 000003
【図２】
2010029505.tif 000004
【図３】
2010029505.tif 000005
【図４】
2010029505.tif 000006
【図５】
2010029505.tif 000007
【図６】
2010029505.tif 000008
【図７】
2010029505.tif 000009